(57)【要約】【課題】撮像する画像と無線通信により送信する画像とをそれぞれ別々に表示すること。【解決手段】被写体の画像データを無線通信回路５６からアンテナ７を介して外部の通信機器に送信すると、当該送信中の画像データのサムネイル画像を無線表示用ディスプレイ１１の表示画面に表示し、かつ撮像モードに変換してレリーズボタン６を押し操作することにより被写体を撮像してその静止画の画像データを記録メディア２０に保管する。【選択図】図４
2006238019.tif 000002
【特許請求の範囲】
【請求項１】
被写体を撮像する撮像手段と、
主として前記撮像手段により撮像された前記被写体像又は前記撮像のための各種設定メニューの少なくとも一方を表示する第１の表示手段と、
外部の通信機器との間で無線通信により前記被写体像の画像データ等の情報の送受信を行う無線通信手段と、
主として前記無線通信に関する情報を表示する第２の表示手段と、
前記無線通信に関連する操作を行うための無線操作手段とを具備し、
前記第２の表示手段は、前記無線通信手段により前記外部の通信機器に送信中の前記画像データのサムネイル画像を表示する、
ことを特徴とするデジタルカメラ。
【請求項２】
前記第２の表示手段は、前記無線操作手段に対する送信操作に応答して前記サムネイル画像を表示することを特徴とする請求項１記載のデジタルカメラ。
【請求項３】
前記第１の表示手段は、前記無線操作手段の送信操作に応答して前記第２の表示手段に表示されている前記サムネイル画像に対応する本画像を表示することを特徴とする請求項２記載のデジタルカメラ。
【請求項４】
前記第１の表示手段は、前記撮像手段により取得された複数の画像データのうちユーザにより選択された送信すべき前記各画像データのサムネイル画像を表示することを特徴とする請求項１記載のデジタルカメラ。
【請求項５】
前記第１の表示手段は、前記撮像手段の撮像により取得された画像データのサムネイル画像を表示すると共に、前記無線操作手段による前記画像データの送信状況を当該画像データに対応する前記サムネイル画像に表示することを特徴とする請求項１記載のデジタルカメラ。
【請求項６】
前記第１の表示手段は、前記画像データの送信状況を送信済み、送信中、未送信の各状況別に表示することを特徴とする請求項５記載のデジタルカメラ。
【請求項７】
前記第１の表示手段は、前記無線操作手段による送信済み、送信中、未送信の前記各画像データのうち少なくとも１枚の前記画像データの本画像を表示することを特徴とする請求項１記載のデジタルカメラ。
【請求項８】
前記第１の表示手段は、前記送信済み、前記送信中、前記未送信の各送信状況に応じた各枠により前記各サムネイル画像を囲んで表示することを特徴とする請求項６記載のデジタルカメラ。
【請求項９】
前記第１の表示手段は、前記送信済み、前記送信中、前記未送信の各送信状況に応じて前記各枠をそれぞれ異なる色で表示することを特徴とする請求項８記載のデジタルカメラ。
【請求項１０】
前記第１の表示手段は、前記送信済み、前記送信中、前記未送信の各送信状況に応じた各標識を前記各サムネイル画像上に表示することを特徴とする請求項６記載のデジタルカメラ。
【請求項１１】
前記第１の表示手段は、前記送信済みの前記サムネイル画像を表示画面上から無くすことを特徴とする請求項６記載のデジタルカメラ。
【請求項１２】
前記第１の表示手段は、前記画像データを保存する第１のメモリを有し、前記送信済みの前記画像データを前記第１のメモリから消去することを特徴とする請求項６記載のデジタルカメラ。
【請求項１３】
前記第１の表示手段により表示される前記各種設定メニューは、前記無線操作手段に有する操作機能と同等の機能を有することを特徴とする請求項１記載のデジタルカメラ。
【請求項１４】
前記第２の表示手段は、前記撮像手段及び前記第１の表示手段を備えたカメラ本体に対して着脱可能なアクセサリ装置に設けられたことを特徴とする請求項１記載のデジタルカメラ。
【請求項１５】
前記アクセサリ装置は、前記無線通信手段により送信された前記画像データのサムネイル画像データを保存する第２のメモリを有することを特徴とする請求項１４記載のデジタルカメラ。
【請求項１６】
前記アクセサリ装置は、前記送信済みの前記画像データを前記第２のメモリから消去することを特徴とする請求項１５記載のデジタルカメラ。
【発明の詳細な説明】
【技術分野】
【０００１】
本発明は、被写体を撮像してその画像データを取得し、かつ取得した画像データを外部の通信機器に送信するデジタルカメラに関する。
【背景技術】
【０００２】
デジタルカメラには、被写体像の動画を例えばカラーＴＦＴ液晶ディスプレイ等の表示部に表示し、この表示されている動画を確認しながら撮像を行なってその画像データを取得し、この取得した画像データを無線通信により他の通信機能を備えた外部機器に送信するものがある。このようなデジタルカメラは、撮像又は送信を兼用する各操作ボタン等を有する操作部を有し、例えば被写体の撮像を行うときに操作部を操作し、画像データの送信を行うときにも操作部を操作するものとなっている。
【特許文献１】特開２００２−３５４１４９号公報
【発明の開示】
【発明が解決しようとする課題】
【０００３】
しかしながら、デジタルカメラでは、画像データの送信を行う場合、操作部を操作して送信しようとする画像データを表示部で確認し、次に操作部を操作して確認した画像データを送信するので、この送信操作中に撮像の操作を行なうことができない。このため、被写体の撮像と画像データの送信とは、同時に行なうことはできず、例えば交互に行なわなければならない。これにより被写体の撮像の操作に支障をきたすことがある。又、画像データを送信した後、送信した画像データを確認したい要求がある。
【課題を解決するための手段】
【０００４】
本発明は、被写体を撮像する撮像手段と、主として撮像手段により撮像された被写体像又は撮像のための各種設定メニューの少なくとも一方を表示する第１の表示手段と、外部の通信機器との間で無線通信により被写体像の画像データ等の情報の送受信を行う無線通信手段と、主として無線通信に関する情報を表示する第２の表示手段と、無線通信に関連する操作を行うための無線操作手段とを具備し、第２の表示手段は、無線通信手段により外部の通信機器に送信中の画像データのサムネイル画像を表示するデジタルカメラである。
【発明の効果】
【０００５】
本発明は、撮像する画像と無線通信により送信する画像とをそれぞれ別々に表示できるデジタルカメラを提供できる。
【発明を実施するための最良の形態】
【０００６】
以下、本発明の第１の実施の形態について図面を参照して説明する。なお、図イと同一部分には同一符号を付してその詳しい説明は省略する。
【０００７】
図１及び図２は一眼レフのデジタルカメラの概略外観図であって、図１は正面図、図２は背面図を示す。このデジタルカメラのカメラ本体１は、カメラ正面２とカメラ背面３とを有する。カメラ正面２には、被写体を撮像する撮像手段としてのレンズユニット４が設けられている。又、カメラ本体１の上面５には、被写体の撮像動作を行なわせるためのレリーズボタン６及び無線通信のためのアンテナ７が設けられている。
【０００８】
カメラ背面３には、その上部にファインダ８が設けられると共に、略中央部に第１の表示手段としてのカラー液晶ＴＦＴ（Thin Film Transistor）ディスプレイ（以下、ＴＦＴ液晶ディスプレイと称する）９が設けられている。このＴＦＴ液晶ディスプレイ９は、例えばレンズユニット４を通して捉えられる被写体の動画をスルー画像として表示したり、被写体を撮像したときの静止画像をフル画像で表示したり、又はこの静止画像を圧縮したサムネイル画像等を表示する。
【０００９】
このＴＦＴ液晶ディスプレイ９に隣接して十字キー１０が設けられている。この十字キー１０は、例えばＴＦＴ液晶ディスプレイ９中に表示される被写体の静止画像又はそのサムネイル画像等を選択するために操作されるもので、互いに直交する４方向（例えば上下左右方向）の各指示キー１０ａ、１０ｂ、１０ｃ、１０ｄを有する。
【００１０】
カメラ背面３の例えば左側には、第２の表示手段としての例えばカラー液晶ＴＦＴからなる無線表示用ディスプレイ１１が設けられている。この無線表示用ディスプレイ１１は、主として無線通信に関する情報を表示するもので、例えば無線通信により外部の通信機器に送信中の画像データのサムネイル画像Ｄ１などを表示する。この無線表示用ディスプレイ１１は、送信中の画像データのサムネイル画像Ｄ１の他に、無線通信の規格Ｄ２、無線通信のリンク強度Ｄ３、無線通信のセキュリティＤ４、無線通信の接続の相手Ｄ５、無線通信によるデータの転送スピードＤ６、無線通信の送信状況として無線通信によるデータ送信の残り時間Ｄ７、無線通信の送信状況として画像データの残り駒数Ｄ８などを表示する。
【００１１】
この無線表示用ディスプレイ１１の下方には、カメラ操作用と無線操作用との兼用の複数の操作ボタン１２−１〜１２−４が設けられている。これら操作ボタン１２−１〜１２−４は、例えば操作ボタン１２−１を押し操作すると、各操作ボタン１２−２〜１２−４がカメラ操作用となり、再度操作ボタン１２−１を押し操作すると、各操作ボタン１２−２〜１２−４が無線操作用となる。例えば、操作ボタン１２−４は、無線操作用のモードのときに画像データの送信ボタンになる。これら操作ボタン１２−１〜１２−４は、例えば撮像モードと画像表示モードとを切り替えるモード変更ボタンと、パワースイッチ等の当該デジタルカメラを操作するためスイッチ群などから成るもので、必要な操作釦を含む。なお、これら操作ボタン１２−１〜１２−４のカメラ操作用と無線操作用との設定方法は、他の方法を用いてもよい。
【００１２】
図３はデジタルカメラの機能ブロック図を示す。このデジタルカメラは、カメラ本体１と、アクセサリ装置としてのレンズユニット４、記録メディア２０と、ストロボユニット２１とを有する。レンズユニット４は、カメラ本体１に対して交換可能である。記録メディア２０は、通信コネクタ２２に対して着脱可能であり、この通信コネクタ２２を通して撮像画像データを記録する。ストロボユニット２１は、カメラ本体１に対してストロボ通信コネクタ２３を介して外付けされる。
【００１３】
レンズユニット４は、カメラ本体１の前面に対して図示しないレンズマウントを介して着脱可能に装着されている。このレンズユニット４は、各撮像レンズ２４、２５と、絞り２６と、レンズ駆動機構２７と、絞り駆動機構２８と、レンズ制御用マイクロコンピュータ２９とから構成される。
【００１４】
各撮像レンズ２４、２５は、レンズ駆動機構２７内に存在する図示しないＤＣモータの駆動によって光軸方向にそれぞれ移動する。絞り２６は、絞り駆動機構２８内に存在する図示しないステッピングモータの駆動によって絞り径が変化する。
【００１５】
レンズ制御用マイクロコンピュータ２９は、レンズ駆動機構２７、絞り駆動機構２８等のレンズユニット４内に収納されている各機能を駆動制御する。このレンズ制御用マイクロコンピュータ２９は、レンズ通信コネクタ３０を介して後述するボディ制御用マイクロコンピュータ３１との間で相互にデータ授受が可能となり、ボディ制御用マイクロコンピュータ３１から発せられた指令に従って制御される。
【００１６】
カメラ本体１内には、クイックリターンミラー３２が設けられている。このクイックリターンミラー３２は、レンズユニット４内の各撮像レンズ２４、２５、絞り２６を介して入射される図示しない被写体からの光束上に設けられている。このクイックリターンミラー３２の反射光束上には、フォーカシングスクリーン３３、ペンタプリズム３４が設けられ、さらにペンタプリズム３４から出射される光束上に接眼レンズ３５が設けられている。これにより、レンズユニット４内の各撮像レンズ２４、２５、絞り２６を介して入射された被写体からの光束は、クイックリターンミラー３２の上面側で反射され、フォーカシングスクリーン３３、ペンタプリズム３４を介して接眼レンズ３５に至る。この接眼レンズ３５は、ファインダ８に設けられている。
【００１７】
クイックリターンミラー３２の中央部は、ハーフミラーに形成されている。このクイックリターンミラー３２の下面側には、サブミラー３６が略垂直方向に設けられている。このクイックリターンミラー３２は、アップダウン移動可能に設けられている。なお、クイックリターンミラー３２は、ダウンした位置にある。このダウンした位置にクイックリターンミラー３２がある場合、レンズユニット４内の各撮像レンズ２４、２５、絞り２６を介して入射された被写体からの光束の一部がクイックリターンミラー３２を透過する。この透過した光束は、サブミラー３６で反射し、自動測距を行うためのＡＦ（オートフォーカス）センサユニット３７に入射する。なお、クイックリターンミラー３２のアップ時には、サブミラー３６は折り畳まれる。
【００１８】
クイックリターンミラー３２を透過した光束上には、フォーカルプレーン式のシャッタユニット３８と撮像モジュール３９とが設けられている。撮像モジュール３９は、光学系を通過した被写体像を光電変換する固体撮像素子（ＣＣＤ）４０を収容した撮像ユニット４１を備えている。なお、クイックリターンミラー３２が光束上から退避した場合、各撮像レンズ２４、２５を通った光束は、撮像モジュール３９内の固体撮像素子（ＣＣＤ）４０に結像される。
【００１９】
クイックリターンミラー２４のアップ時には、サブミラー２８は折り畳まれる。このクイックリターンミラー２４がアップ位置にあると、レンズユニット１１内の各撮像レンズ１６、１７と、絞り１８とを介して入射された被写体からの光束が撮像モジュール３１で撮像され、動画であるスルー画像を得る。
【００２０】
カメラ本体１内には、画像処理を行う画像処理コントローラ４２が内蔵されている。この画像処理コントローラ４２には、撮像素子インターフェイス回路４３と、ＳＤＲＡＭ４４と、液晶モニタ４５と、通信コネクタ２２を介して記録メディア２０とが接続されている。撮像素子インターフェイス回路４３は、撮像モジュール３９内の撮像素子３８に接続されている。ＳＤＲＡＭ４４は、データ等の記憶領域として設けられている。
【００２１】
記録メディア２０は、例えば各種のメモリカードや外付けのハードディスクドライブ（ＨＤＤ）等の外部記録媒体であり、通信コネクタ２２を介してカメラボディ１と通信可能で、かつ交換可能に装着されている。
【００２２】
ボディ制御用マイクロコンピュータ３１には、レンズ通信コネクタ３０と、測光回路４６と、ミラー駆動機構４７と、ＡＦセンサ駆動回路４８と、シャッタ駆動制御回路４９と、不揮発性メモリ（ＥＥＰＲＯＭ）５０等が接続されると共に、カメラ本体１内の各部を制御するためのボディ制御用マイクロコンピュータ３１が接続されている。
【００２３】
測光回路４６は、ペンタプリズム３４からの光束に基づいて測光処理を行う。ミラー駆動機構４７は、クイックリターンミラー３２を駆動制御する。ＡＦセンサ駆動回路４８は、ＡＦセンサユニット３７を駆動制御する。シャッタ駆動制御回路４９は、シャッタユニット３８の先幕と後幕との動きを制御すると共に、ボディ制御用マイクロコンピュータ３１との間でシャッタユニット３８の開閉動作を制御する信号とストロボと同調する信号の授受を行う。
【００２４】
不揮発性メモリ５０は、デジタルカメラ制御に必要な所定の制御パラメータや無線通信に必要な情報等を記憶するもので、ボディ制御用マイクロコンピュータ３１からアクセス可能である。このボディ制御用マイクロコンピュータ３１には、ＴＦＴ液晶ディスプレイ９と、カメラ操作部５２と、図示しない電源回路を介して電池とが接続されている。この電源回路は、電池の出力電圧値を、当該デジタルカメラで必要とする所定の電圧値に変換して供給する。
【００２５】
カメラ操作部５２は、レリーズボタン６、各操作ボタン１２−１〜１２−４を有する。
【００２６】
ボディ制御用マイクロコンピュータ３１とレンズ制御用マイクロコンピュータ２９とは、レンズユニット４の装着時に、レンズ通信コネクタ３０を介してデータ通信可能に電気的に接続される。そして、デジタルカメラとしてレンズ制御用マイクロコンピュータ２９は、ボディ制御用マイクロコンピュータ３１に対して従属的に協働しながら稼動する。
【００２７】
ストロボユニット５１は、閃光発光部５３と、ストロボ発光回路５４と、ストロボ制御用マイクロコンピュータ５５及び図示しない電池とから構成される。このストロボユニット５１は、ストロボ通信コネクタ５５を介してカメラ本体１と通信可能でかつ着脱可能に装着されている。
【００２８】
ボディ制御用マイクロコンピュータ３１には、無線表示用ディスプレイ１１及び無線通信手段としての無線通信回路５６が接続されている。この無線通信回路５６には、アンテナ７が接続されている。無線通信回路５６は、アンテナ７を介して外部の通信機器、例えば図４に示すように他の各デジタルカメラ６０、６１やパーソナルコンピュータ６２等との間で被写体像の画像データ等の情報の送受信を行う。このデータ通信は、無線通信ネットワーク６３を介して行なわれる。この無線通信ネットワーク６３は、通信ネットワーク６４に複数のアクセスポイント（ＡＰ）、例えば２つのアクセスポイント６５、６６が接続されている。
【００２９】
このように構成されたデジタルカメラの撮像動作について説明する。
【００３０】
先ず、ボディ制御用マイクロコンピュータ３１は、画像処理コントローラ４２に対して動作指示を与える。この画像処理コントローラ４２は、撮像素子インターフェイス回路４３を制御し、撮像モジュール３９から撮像素子インターフェイス回路４３を介して画像データを取り込み、この撮像画像データを一時保管用メモリであるＳＤＲＡＭ４４に一時保存する。画像処理コントローラ４２は、ＳＤＲＡＭ４４に一時保存された撮像画像データを例えばＪＰＥＧデータに変換し、通信コネクタ２２を介して記録メディア２０に保管する。
【００３１】
クイックリターンミラー３２がミラー駆動機構４７によってダウン位置にあるとき、各撮像レンズ２４及び２５からの光束は、ＡＦセンサユニット３７側とペンタプリズム３４側へとそれぞれ分割されて導かれる。
【００３２】
ＡＦセンサユニット３７内のＡＦセンサは、各撮像レンズ２４及び２５からの光束を受光してＡＦセンサ信号を出力する。このＡＦセンサ信号は、ＡＦセンサ駆動回路４８を介してボディ制御用マイクロコンピュータ３１へ送信される。このボディ制御用マイクロコンピュータ３１は、ＡＦセンサユニット３７の出力を取り込んで周知の測距処理を行う。
【００３３】
ペンタプリズム３４側に導かれた光束は、ペンタプリズム３４内を通って接眼レンズ３５に導かれる。これにより、撮像者は、ファインダ８から接眼レンズ３５を通して被写体を目視できる。これと共にペンタプリズム３４を通過した光束の一部は、測光回路４６内のホトセンサ（図示せず）へ導かれ、ここで検知された光量に基づいて周知の測光処理が行われる。
【００３４】
ボディ制御用マイクロコンピュータ３１は、設定されている撮像時間、撮像モード、露出、シャッタスピード、Ｆ値に従ってシャッタ駆動制御回路５１、絞り駆動制御回路２８などを動作制御する。
【００３５】
シャッタ駆動制御回路４９は、ボディ制御用マイクロコンピュータ３１からシャッタを駆動制御するための信号を受取ると、この信号に基づいてシャッタユニット３８を制御する。それと共に、シャッタ駆動制御回路４９から図示しない検出回路を介してフォトリフレクタが通電され、このフォトリフレクタの検出出力が検出回路、シャッタ駆動制御回路４９を介して検出信号として所定のタイミングでボディ制御用マイクロコンピュータ３１に送られる。シャッタ駆動制御回路４９は、ボディ制御用マイクロコンピュータ３１からシャッタユニット３８を駆動制御するための信号を受取ると、この信号に基づいてシャッタユニット３８を駆動制御する。
【００３６】
それと共に、シャッタ駆動制御回路４９は、所定のタイミングでボディ制御用マイクロコンピュータ３１に対してストロボを発光させるためのストロボ同調信号を出力する。ボディ制御用マイクロコンピュータ３１は、このストロボ同調信号に基づいてストロボユニット５１に通信により発光指令信号を出力する。これにより、閃光発光部５３は、閃光を発する。
【００３７】
この結果、シャッタユニット３８が開放されたときに撮像モジュール３９から出力された撮像画像データは、画像処理コントローラ４２によってＳＤＲＡＭ４４に一時保存され、例えばＪＰＥＧデータに変換され、通信コネクタ２２を介して記録メディア２０に保管される。
【００３８】
撮像者によって操作ボタン１２−１〜１２−４中のモード変更スイッチが操作されて、撮像モードから画像表示モードへ切り換えられると、ボディ制御用マイクロコンピュータ３１は、記録メディア２０に保管された画像データを読み出し、画像処理コントローラ４２においてビデオ信号に変換し、被写体の動画像等をＴＦＴ液晶ディスプレイ９に表示させる。
【００３９】
以上のデジタルカメラにおけるボディ制御用マイクロコンピュータ３１は、マルチタスク処理を行なうもので、以下の機能を有する。
【００４０】
すなわち、ボディ制御用マイクロコンピュータ３１は、ＴＦＴ液晶ディスプレイ９の表示画面に、例えば撮像モード、画像表示モード、フル画像の画像データ表示モード、サムネイル画像表示モード等の各種設定メニューを表示させる。
【００４１】
ボディ制御用マイクロコンピュータ３１は、送信の操作ボタン１２−４の操作を受けると、記録メディア２０に保管された被写体の画像データを読み出し、この画像データを無線通信回路５６からアンテナ７を介して外部の通信機器に送信し、かつ当該送信中の画像データのサムネイル画像を図２に示すように無線表示用ディスプレイ１１の表示画面に表示させる。
【００４２】
ボディ制御用マイクロコンピュータ３１は、画像データを送信する場合、例えば十字キー１０の各指示キー１０ａ、１０ｂ、１０ｃ、１０ｄの操作によって複数枚の画像データが選択されると、これら画像データを連続して送信する。
【００４３】
画像データの送信中、ボディ制御用マイクロコンピュータ３１は、記録メディア２０から読み出した被写体の画像データを画像処理コントローラ４２で圧縮させ、この圧縮したサムネイル画像Ｄ１を無線表示用ディスプレイ１１の表示画面に表示させる。
【００４４】
ボディ制御用マイクロコンピュータ３１は、予め設定されていたり、各操作ボタン１２−１〜１２−４から設定された無線通信に関する情報、例えば無線通信の規格Ｄ２、無線通信のセキュリティＤ４、無線通信の接続の相手Ｄ５、無線通信によるデータの転送スピードＤ６等の各情報を読み出し、これら無線通信の規格Ｄ２、無線通信のセキュリティＤ４、無線通信の接続の相手Ｄ５、無線通信によるデータの転送スピードＤ６を図２に示すように無線表示用ディスプレイ１１に表示させる。
【００４５】
さらに、ボディ制御用マイクロコンピュータ３１は、無線表示用ディスプレイ１１に、画像データの送信中における無線通信の状況、例えば無線通信のリンク強度Ｄ３、無線通信によるデータ送信の残り時間Ｄ７、無線通信による画像データの残り駒数Ｄ８などを表示させる。
【００４６】
ボディ制御用マイクロコンピュータ３１は、送信の操作ボタン１２−４の操作を受けると、この操作に応答して無線表示用ディスプレイ１１に表示されている送信中の画像データのサムネイル画像Ｄ１の本画像（フル画像）、すなわち記録メディア２０から読み出した被写体の画像データを圧縮処理せずにフル画像として図５に示すようにＴＦＴ液晶ディスプレイ９の表示画面に表示させる。
【００４７】
ボディ制御用マイクロコンピュータ３１は、レンズユニット４を通して撮像モジュール３９により撮像され、この撮像モジュール３９から出力されて記録メディア２０に保存されている複数の撮像画像データのうちユーザが十字キー１０の各指示キー１０ａ、１０ｂ、１０ｃ、１０ｄを操作すことにより選択された送信すべき各画像データのサムネイル画像、例えば４枚のサムネイル画像Ｓ１〜Ｓ４を図６に示すようにＴＦＴ液晶ディスプレイ９の表示画面に表示させる。
【００４８】
これと共に、ボディ制御用マイクロコンピュータ３１は、ＴＦＴ液晶ディスプレイ９の表示画面に表示されている各サムネイル画像Ｓ１〜Ｓ４に対する送信状況、すなわち送信済み、送信中、未送信の各状況をそれぞれ異なる色の各枠ＷＨ、ＷＧ、ＷＲで各サムネイル画像Ｓ１〜Ｓ４をそれぞれ囲んで表示する。枠ＷＨは送信済みを示し、例えば細い黒色で表示される。枠ＷＧは送信中を示し、例えば緑色で表示される。枠ＷＲは未送信を示し、例えば赤色で表示される。
【００４９】
なお、ボディ制御用マイクロコンピュータ３１は、送信済みの各サムネイル画像Ｓ３、Ｓ４に対して細い黒色の枠ＷＨを特に表示しなくてもよく、送信中、未送信のサムネイル画像Ｓ１、Ｓ２と判別が可能であればよい。例えば、ボディ制御用マイクロコンピュータ３１は、図７に示すように送信済みの各サムネイル画像Ｓ３、Ｓ４上に送信済みを表す標識、例えば「○」等の記号や「送信済み」の文字を表示してもよい。
【００５０】
又、ボディ制御用マイクロコンピュータ３１は、送信中、未送信のサムネイル画像Ｓ１、Ｓ２上に当該送信中、未送信を表す標識、例えば「□」「△」等の記号や「送信中」「未送信」の文字を表示してもよい。
【００５１】
ボディ制御用マイクロコンピュータ３１は、送信済み、送信中、未送信の各画像データのうちユーザが十字キー１０の各指示キー１０ａ、１０ｂ、１０ｃ、１０ｄへの操作により選択された少なくとも１枚の画像データの本画像（フル画像）をＴＦＴ液晶ディスプレイ９の表示画面に表示させる。
【００５２】
ボディ制御用マイクロコンピュータ３１は、例えば操作ボタン１２−１〜１２−４中の削除スイッチが操作されると、ＴＦＴ液晶ディスプレイ９の表示画面に表示されている送信済みの各サムネイル画像Ｓ３、Ｓ４のうち十字キー１０の各指示キー１０ａ、１０ｂ、１０ｃ、１０ｄを操作することにより選択された例えばサムネイル画像Ｓ３を当該ＴＦＴ液晶ディスプレイ９の表示画面から無くす。
【００５３】
ボディ制御用マイクロコンピュータ３１は、例えば操作ボタン１２−１〜１２−４中の消去スイッチが操作されると、ＴＦＴ液晶ディスプレイ９の表示画面に表示されている送信済みの各サムネイル画像Ｓ３、Ｓ４のうち十字キー１０の各指示キー１０ａ、１０ｂ、１０ｃ、１０ｄを操作すことにより選択された例えばサムネイル画像Ｓ３の画像データを記録メディア２０から消去する。
【００５４】
なお、ボディ制御用マイクロコンピュータ３１は、例えば操作ボタン１２−１〜１２−４中の削除スイッチが操作されたときに例えばサムネイル画像Ｓ３をＴＦＴ液晶ディスプレイ９の表示画面から無くしたり、例えば操作ボタン１２−１〜１２−４中の消去スイッチが操作されたときに例えばサムネイル画像Ｓ３の画像データを記録メディア２０から消去するのに限らず、送信の操作ボタン１２−４が操作され、このときの画像データの送信が完了すると同時に同サムネイル画像Ｓ３をＴＦＴ液晶ディスプレイ９の表示画面から無くすと共に、同サムネイル画像Ｓ３の画像データを記録メディア２０から消去してもよい。
【００５５】
次に、上記の如く構成されたデジタルカメラの動作について図８に示す送信画像サムネイル表示のフローチャートに従って説明する。
【００５６】
デジタルカメラの電源がステップ＃１において投入される。この後、レリーズボタン６が押し操作されると、ボディ制御用マイクロコンピュータ３１は、ステップ＃２において、設定されている撮像時間、撮像モード、露出、シャッタスピード、Ｆ値に従ってシャッタ駆動制御回路５１、絞り駆動制御回路２８などを動作制御する。これにより、上記同様に、シャッタ駆動制御回路４９は、ボディ制御用マイクロコンピュータ３１からのシャッタ駆動制御信号に基づいてシャッタユニット３８を制御する。ストロボユニット５１は、ボディ制御用マイクロコンピュータ３１からのストロボ同調信号に基づいて閃光発光部５３により発光を行う。
【００５７】
この結果、シャッタユニット３８が開放されたときに撮像モジュール３９から出力された被写体の静止画の画像データは、画像処理コントローラ４２によってＳＤＲＡＭ４４に一時保存され、例えばＪＰＥＧデータに変換され、通信コネクタ２２を介して記録メディア２０に保管される。
【００５８】
再度、レリーズボタン６が押し操作されると、上記同様に、２枚目の被写体の静止画の画像データが記録メディア２０に保管される。以下、同様にして複数枚の画像データが記録メディア２０に保管される。
【００５９】
次に、撮像者によって操作ボタン１２−１〜１２−４中のモード変更ボタンが操作されて、撮像モードから画像表示モードへ切り換えられると、ボディ制御用マイクロコンピュータ３１は、ステップ＃３において、記録メディア２０に保管された静止画の複数の画像データを順次読み出し、画像処理コントローラ４２においてビデオ信号に変換し、被写体の静止画をＴＦＴ液晶ディスプレイ９に順次表示させる。このときＴＦＴ液晶ディスプレイ９に表示されている静止画の画像データは、本画像（フル画像）である。これにより、撮像者は、送信すべき静止画の画像データを選択することが可能である。
【００６０】
送信すべき静止画の画像データが選択され、当該ＴＦＴ液晶ディスプレイ９に表示されている静止画の画像データを送信する場合、撮像者によって送信の操作ボタン１２−４が操作される。このときボディ制御用マイクロコンピュータ３１は、ステップ＃４において、送信の操作ボタン１２−４の操作を受けると、記録メディア２０に保管された送信すべき被写体の画像データを読み出し、当該画像データをステップ＃５において無線通信回路５６からアンテナ７を介して外部の通信機器に送信する。なお、送信すべき静止画の画像データが複数枚選択されると、ボディ制御用マイクロコンピュータ３１は、選択された複数枚の画像データを連続して送信する。
【００６１】
次に、ボディ制御用マイクロコンピュータ３１は、ステップ＃６において、送信中の画像データをマルチタスク機能によって画像処理コントローラ４２で圧縮させ、この圧縮したサムネイル画像Ｄ１を図５に示すように無線表示用ディスプレイ１１の表示画面に表示させる。
【００６２】
これと共に、ボディ制御用マイクロコンピュータ３１は、画像データの送信中に、無線通信に関する情報、例えば無線通信の規格Ｄ２、無線通信のセキュリティＤ４、無線通信の接続の相手Ｄ５、無線通信によるデータの転送スピードＤ６等の各情報を読み出し、これら無線通信の規格Ｄ２、無線通信のセキュリティＤ４、無線通信の接続の相手Ｄ５、無線通信によるデータの転送スピードＤ６を図２に示すように無線表示用ディスプレイ１１に表示させると共に、例えば無線通信のリンク強度Ｄ３、無線通信によるデータ送信の残り時間Ｄ７、無線通信による画像データの残り駒数Ｄ８などを表示させる。
【００６３】
この画像データの送信中に、撮像者が操作ボタン１２−１〜１２−４中のサムネイル画像表示の操作ボタンを操作すると、ボディ制御用マイクロコンピュータ３１は、ステップ＃７乃至ステップ＃１０に移り、図６に示すように記録メディア２０に保存されている複数の撮像画像データのうち十字キー１０の各指示キー１０ａ、１０ｂ、１０ｃ、１０ｄにより選択された例えば４枚のサムネイル画像Ｓ１〜Ｓ４をＴＦＴ液晶ディスプレイ９の表示画面に表示させる。この場合、ボディ制御用マイクロコンピュータ３１は、記録メディア２０に保管された各画像データを読み出し、これら画像データを圧縮処理してＴＦＴ液晶ディスプレイ９の表示画面に表示させる。
【００６４】
このとき送信中、未送信、送信済みの画像データがあると、ボディ制御用マイクロコンピュータ３１は、図６に示すようにＴＦＴ液晶ディスプレイ９の表示画面に表示されている各サムネイル画像Ｓ１〜Ｓ４に対する送信済み、送信中、未送信の各送信状況を各サムネイル画像Ｓ１〜Ｓ４の各周囲の各枠ＷＨ、ＷＧ、ＷＲで判別表示する。これにより、例えば細い黒色で表示される枠ＷＨは、送信済みの各サムネイル画像Ｓ３、Ｓ４であることが視覚的に判別できる。例えば緑色で表示される枠ＷＧは、送信中のサムネイル画像Ｓ１であることが視覚的に判別できる。例えば赤色で表示される枠ＷＲは、未送信のサムネイル画像Ｓ２であることが視覚的に判別できる。
【００６５】
一方、画像データの送信中に、撮像者が操作ボタン１２−１〜１２−４中の本画像（フル画像）表示の操作ボタンを操作すると、ボディ制御用マイクロコンピュータ３１は、ステップ＃１１乃至ステップ＃１３に移り、記録メディア２０から送信中の画像データを読み出し、画像処理コントローラ４２においてビデオ信号に変換させ、図５に示すようにフル画像の静止画の画像データとしてＴＦＴ液晶ディスプレイ９に拡大表示させる。
【００６６】
又、画像データの送信中に、撮像者が操作ボタン１２−１〜１２−４中の表示無しの操作ボタンを操作すると、ボディ制御用マイクロコンピュータ３１は、ＴＦＴ液晶ディスプレイ９への表示をなくす。
【００６７】
なお、画像データの送信中に、撮像者が操作ボタン１２−１〜１２−４中のモード変更スイッチを操作して撮像モードに変換し、レリーズボタン６を押し操作すると、ボディ制御用マイクロコンピュータ３１は、上記同様に、被写体の静止画の画像データを記録メディア２０に保管することが可能である。
【００６８】
次に、ボディ制御用マイクロコンピュータ３１は、ステップ＃１４において、画像データの送信が終了したか否かを判断し、画像データの送信中であれば、再びステップ＃５乃至ステップ＃１４を繰り返す。画像データの送信が終了すれば、ボディ制御用マイクロコンピュータ３１は、ステップ＃１５において、送信完了の処理を実行し、次の処理の実行に移る。
【００６９】
なお、ボディ制御用マイクロコンピュータ３１は、送信の操作ボタン１２−４が操作され、このときの画像データの送信が完了すると同時に同サムネイル画像Ｓ３をＴＦＴ液晶ディスプレイ９の表示画面から無くすと共に、同サムネイル画像Ｓ３の画像データを記録メディア２０から消去してもよい。複数枚連続して画像データを送信すれば、ボディ制御用マイクロコンピュータ３１は、各画像データの送信が完了する毎に当該サムネイル画像Ｓ３をＴＦＴ液晶ディスプレイ９の表示画面から無くすと共に、当該サムネイル画像Ｓ３の画像データを記録メディア２０から消去する。
【００７０】
ボディ制御用マイクロコンピュータ３１は、例えば操作ボタン１２−１〜１２−４中の削除スイッチが操作されると、ＴＦＴ液晶ディスプレイ９の表示画面に表示されている送信済みの各サムネイル画像Ｓ３、Ｓ４のうち十字キー１０の各指示キー１０ａ、１０ｂ、１０ｃ、１０ｄを操作すことにより選択された例えばサムネイル画像Ｓ３を当該ＴＦＴ液晶ディスプレイ９の表示画面から無くす。
【００７１】
ボディ制御用マイクロコンピュータ３１は、例えば操作ボタン１２−１〜１２−４中の消去スイッチが操作されると、ＴＦＴ液晶ディスプレイ９の表示画面に表示されている送信済みの各サムネイル画像Ｓ３、Ｓ４のうち十字キー１０の各指示キー１０ａ、１０ｂ、１０ｃ、１０ｄを操作すことにより選択された例えばサムネイル画像Ｓ３の画像データを記録メディア２０から消去する。
【００７２】
このように上記第１の実施の形態によれば、被写体の画像データを無線通信回路５６からアンテナ７を介して外部の通信機器に送信すると、当該送信中の画像データのサムネイル画像を無線表示用ディスプレイ１１の表示画面に表示し、かつ撮像モードに変換してレリーズボタン６を押し操作することにより被写体を撮像してその静止画の画像データを記録メディア２０に保管するので、無線表示用ディスプレイ１１の表示画面に無線通信により送信する画像を表示すると共に、撮像する画像をＴＦＴ液晶ディスプレイ９に表示でき、撮像する画像と無線通信により送信する画像とをそれぞれ別々に表示できる。
【００７３】
画像データの送信中、無線表示用ディスプレイ１１に表示されている送信中の画像データのサムネイル画像Ｄ１を拡大して、すなわちサムネイル画像Ｄ１の本画像（フル画像）を拡大してＴＦＴ液晶ディスプレイ９の表示画面に表示させることができ、送信中の画像データを明瞭に確認できる。
【００７４】
ＴＦＴ液晶ディスプレイ９の表示画面には、各サムネイル画像Ｓ１〜Ｓ４に対する送信状況、すなわち送信済み、送信中、未送信の各状況をそれぞれ異なる色の各枠ＷＨ、ＷＧ、ＷＲで各サムネイル画像Ｓ１〜Ｓ４をそれぞれ囲んで表示できる。これにより、各画像データが送信済み、送信中又は未送信であるかを容易に把握でき、画像データの二重送信や送信忘れ等を防止できる。又、各枠ＷＨ、ＷＧ、ＷＲは、それぞれ異なる色により表示するので、各画像データが送信済み、送信中又は未送信であるかを視覚的に一目で把握できる。
【００７５】
送信完了した画像データをＴＦＴ液晶ディスプレイ９の表示画面から無くしたり、記録メディア２０から消去するので、送信済みの画像データを自動的に消去でき、デジタルカメラにおける例えば記録メディア２０等のメモリの空き容量を大きくしておくことができる。
【００７６】
なお、上記第１の実施の形態は、次のように変形してもよい。
【００７７】
例えば、ＴＦＴ液晶ディスプレイ９の表示画面に表示するサムネイル画像は、４枚であるが、これに限らず、少なくとも２枚以上のサムネイル画像を表示すればよい。
【００７８】
送信済み、送信中、未送信の各状況を表すそれぞれ異なる色の各枠ＷＨ、ＷＧ、ＷＲは、黒色、緑色、赤色に限らず、その他の色で表示してもよい。
【００７９】
次に、本発明の第２の実施の形態について図面を参照して説明する。なお、図２及び図３と同一部分には同一符号を付してその詳しい説明は省略する。
【００８０】
図９は一眼レフのデジタルカメラの概略外観図を示す。このデジタルカメラは、カメラ本体１に対してアクセサリ装置としての無線装置７０を着脱可能に設けられている。この無線装置７０には、第２の表示手段としての例えばカラー液晶ＴＦＴからなる無線表示用ディスプレイ７１が設けられている。この無線表示用ディスプレイ７１は、上記無線表示用ディスプレイ１１と同様に、主として無線通信に関する情報を表示するもので、例えば無線通信により外部の通信機器に送信中の画像データのサムネイル画像Ｄ１などを表示する。この無線表示用ディスプレイ７１は、送信中の画像データのサムネイル画像Ｄ１の他に、無線通信の規格Ｄ２、無線通信のリンク強度Ｄ３、無線通信のセキュリティＤ４、無線通信の接続の相手Ｄ５、無線通信によるデータの転送スピードＤ６、無線通信の送信状況として無線通信によるデータ送信の残り時間Ｄ７、無線通信の送信状況として画像データの残り駒数Ｄ８などを表示する。
【００８１】
又、無線装置７０には、無線操作用の複数の操作ボタン７２−１〜７２−３が設けられている。これら操作ボタン７２−１〜７２−３は、例えば、操作ボタン７２−１が無線操作用のモードのときに画像データの送信ボタンになる。
【００８２】
又、無線装置７０には、アンテナ７３が設けられている。
【００８３】
図１０はデジタルカメラの機能ブロック図を示す。このデジタルカメラは、無線通信機能をカメラ本体１に対して外付きにしている。すなわち、無線装置７０は、カメラ本体１に設けられた無線装置通信コネクタ７４に対して着脱可能であり、かつ電気的に接続又は切り離される。この無線装置７０は、無線装置制御用マイクロコンピュータ７５に対して無線表示用ディスプレイ７１、各操作ボタン７２−１〜７２−３、ＳＤＲＡＭ７６及び無線通信回路７７を接続したものとなっている。この無線通信回路７７には、アンテナ７３が接続されている。
【００８４】
無線装置制御用マイクロコンピュータ７５は、アンテナ７６から無線通信回路７７を通して受信した撮像モード、露出、シャッタスピード、Ｆ値、撮像画像データの保存先などの情報を一時ＳＤＲＡＭ７６に保存し、この情報を無線装置通信コネクタ７４を通してカメラ本体１内のボディ制御用マイクロコンピュータ３１に渡し、かつボディ制御用マイクロコンピュータ３１から無線装置通信コネクタ７４を通して受取った画像データ等を一時ＳＤＲＡＭ７６に保存し、この画像データ等を無線通信回路７７を通してアンテナ７３から例えば図４に示すように他のデジタルカメラ６０、６１、パーソナルコンピュータ６２に向かって送信する。
【００８５】
無線装置制御用マイクロコンピュータ７５は、送信の操作ボタン７２−３の操作を受けると、カメラ本体１内のボディ制御用マイクロコンピュータ３１に対して画像データ要求の指令を発し、当該ボディ制御用マイクロコンピュータ３１から記録メディア２０に保管された被写体の画像データを受け取り、この画像データを無線通信回路５６からアンテナ７を介して外部の通信機器に送信し、かつ当該送信中の画像データのサムネイル画像Ｄ１を無線表示用ディスプレイ７１の表示画面に表示させる。なお、サムネイル画像Ｄ１は、画像処理コントローラ４２により圧縮されている。
【００８６】
無線装置制御用マイクロコンピュータ７５は、カメラ本体１内のボディ制御用マイクロコンピュータ３１に対して情報要求の指令を発し、当該ボディ制御用マイクロコンピュータ３１から無線通信に関する情報、例えば無線通信の規格、無線通信のセキュリティ、無線通信の接続の相手、無線通信によるデータの送信スピード等の各情報を読み出し、これら無線通信の規格Ｄ２、無線通信のセキュリティＤ４、無線通信の接続の相手Ｄ５、無線通信によるデータの送信スピードＤ６、さらに画像データの送信中における無線通信の状況、例えば無線通信の感度Ｄ３、無線通信によるデータ送信の残り時間Ｄ７、無線通信による画像データの残り送信枚数Ｄ８などを表示させる。
【００８７】
無線装置制御用マイクロコンピュータ７５は、無線通信回路５６からアンテナ７を介して外部の通信機器、例えば図４に示すような他のデジタルカメラ６０、６１、パーソナルコンピュータ６２に向かって送信中の例えば画像データのサムネイル画像Ｄ１をＳＤＲＡＭ７６に保存する。
【００８８】
無線装置制御用マイクロコンピュータ７５は、送信中の画像データのサムネイル画像Ｄ１をＳＤＲＡＭ７６に保存し、送信が完了すると、当該サムネイル画像Ｄ１の画像データをＳＤＲＡＭ７６から消去する。
【００８９】
このようなデジタルカメラであれば、上記第１の実施の形態で説明したデジタルカメラと同一の動作を実行する。なお、その動作の説明は、上記第１の実施の形態と重複するので省略する。
【００９０】
このように上記第２の実施の形態によれば、上記第１の実施の形態と同様の作用、効果を奏することは言うまでもない。
【００９１】
なお、本発明は、上記第１及び第２の実施の形態に限定されるものではなく、次のように変形してもよい。
【００９２】
上記第１及び第２の実施の形態では、一眼レフのデジタルカメラに適用した場合について説明したが、これに限らず、他のデジタルカメラにも適用可能である。
【図面の簡単な説明】
【００９３】
【図１】本発明に係るデジタルカメラの第１の実施の形態を示す正面図。
【図２】同デジタルカメラの背面図。
【図３】同デジタルカメラの機能ブロック図。
【図４】同デジタルカメラでのデータ通信を行なう無線通信ネットワークを示す図。
【図５】同デジタルカメラにおける動作表示用液晶ディスプレイに表示される送信中のフル画像データを示す図。
【図６】同デジタルカメラにおける動作表示用液晶ディスプレイに表示されているサムネイル画像上に送信状況の区別の表示例を示す図。
【図７】同デジタルカメラにおける動作表示用液晶ディスプレイに表示されているサムネイル画像上に送信済みの標識の表示例を示す図。
【図８】同デジタルカメラにおける送信画像サムルイネ表示のフローチャート。
【図９】本発明に係るデジタルカメラの第２の実施の形態を示す背面図。
【図１０】同デジタルカメラの機能ブロック図。
【符号の説明】
【００９４】
１：カメラ本体、２：カメラ正面、３：カメラ背面、４：レンズユニット、５：カメラ本体の上面、６：レリーズボタン、７：アンテナ、８：ファインダ、９：ＴＦＴ液晶ディスプレイ、１０：十字キー、１０ａ，１０ｂ，１０ｃ，１０ｄ：指示キー、１１：無線表示用ディスプレイ、１２−１〜１２−４：操作ボタン、２０：記録メディア、２１：ストロボユニット、２２：通信コネクタ、２３：ストロボ通信コネクタ、２４，２５：撮像レンズ、２６：絞り、２７：レンズ駆動機構、２８：絞り駆動機構、２９：レンズ制御用マイクロコンピュータ、３０：レンズ通信コネクタ、３１：ボディ制御用マイクロコンピュータ、３２：クイックリターンミラー、３３：フォーカシングスクリーン、３４：ペンタプリズム、３５：接眼レンズ、３６：サブミラー、３７：ＡＦ（オートフォーカス）センサユニット、３８：シャッタユニット、３９：撮像モジュール、４０：固体撮像素子（ＣＣＤ）、４１：撮像ユニット、４２：画像処理コントローラ、４３：撮像素子インターフェイス回路、４４：ＳＤＲＡＭ、４６：測光回路、４７：ミラー駆動機構、４８：ＡＦセンサ駆動回路、４９：シャッタ駆動制御回路、５０：不揮発性メモリ（ＥＥＰＲＯＭ）、５２：カメラ操作スイッチ（ＳＷ）、５３：閃光発光部、５４：ストロボ発光回路、５５：ストロボ制御用マイクロコンピュータ、５６：無線通信回路、６０，６１：デジタルカメラ、６２：パーソナルコンピュータ、６３：無線通信ネットワーク、６４：通信ネットワーク、６５，６６：アクセスポイント、７０：無線装置、７１：無線表示用ディスプレイ、７２−１〜７２−３：操作ボタン、７３：アンテナ、７４：無線装置通信コネクタ、７５：無線装置制御用マイクロコンピュータ、７６：ＳＤＲＡＭ、７７：無線通信回路。
【図１】
2006238019.tif 000003
【図２】
2006238019.tif 000004
【図３】
2006238019.tif 000005
【図４】
2006238019.tif 000006
【図５】
2006238019.tif 000007
【図６】
2006238019.tif 000008
【図７】
2006238019.tif 000009
【図８】
2006238019.tif 000010
【図９】
2006238019.tif 000011
【図１０】
2006238019.tif 000012